(57)【特許請求の範囲】
【請求項１】
放送素材の音声チャンネル数を、放送局上位システムＥＤＰＳから送られるファイリング指示データ内の音声チャンネル数に基づき変換してから、現用系と予備系に分配し、ビデオサーバーに前記現用系と予備系別々にファイリングし、ファイリングしている前記現用系と予備系の前記放送素材を読み出し、前記現用系の放送素材をオンエアーするノンリニアバンクシステムにおいて、前記ビデオサーバーにファイリングする前記現用系と予備系の各々に監視装置を設けて、前記変換した音声チャンネル数を検出し、該検出した前記音声チャンネル数が前記放送局上位システムＥＤＰＳから送られるファイリング指示データ内の音声チャンネル数と一致しているか否かを、コントローラーで判定し、その結果をパソコンの画面上で表示することを特徴とするノンリニアバンクシステム。
【請求項２】
請求項１記載のノンリニアバンクシステムにおいて、前記現用系と予備系の各々に設ける前記監視装置が、一つの基板上に２系統分実装されていることを特徴とするノンリニアバンクシステム。
【請求項３】
請求項１記載のノンリニアバンクシステムにおいて、ファイリングしている前記放送素材を読み出した後の前記現用系と予備系の各々に第２の監視装置を設けて、オンエアーしている放送素材であるデジタル映像音声信号のＳＤＩフォーマットをリアルタイムで検出することを特徴とするノンリニアバンクシステム。
【発明の詳細な説明】
【技術分野】
【０００１】
本発明は、ＶＴＲ（ビデオテープレコーダ）等の記録装置に記録されている番組やＣＭ等の番組素材を、ビデオサーバーにファイリングした上でオンエアーする方式のノンリニアバンクシステムに関する。
【背景技術】
【０００２】
テレビジョン放送業務では、従来からビデオサーバーを備えたノンリニアバンクシステムを用い、ＶＴＲ（ビデオテープレコーダ）等の記録装置に記録されている番組やＣＭ等の放送素材を、ビデオサーバーにファイリングした上でオンエアーして放送している（例えば、特許文献１参照）。
【０００３】
テレビジョン放送は、従来のアナログ放送からデジタル放送への過渡期を迎えており、それに伴い番組やＣＭ等の放送素材は、アナログ素材からデジタル素材へと変遷している。
【０００４】
テレビジョン放送用のデジタル素材は各種あるが、放送局等で放送素材をビデオサーバーにファイリングするノンリニアバンクシステムでは、一般的に、ＳＤ−ＳＤＩ(Standard DefinitionSerial Digital Interface)規格およびＨＤ−ＳＤＩ(High DefinitionSerial Digital Interface)規格の２種類のテレビジョンフォーマットが混在して使用されている。
【０００５】
ＳＤ−ＳＤＩ規格は、従来のアナログテレビジョン放送に準じたデジタルテレビジョンフォーマットであり、アナログ放送からデジタル放送への過渡期である現在は主流となっているフォーマットである。
【０００６】
それに対して、ＨＤ−ＳＤＩ規格は、いわゆるハイビジョン放送と呼ばれる規格で、デジタル放送向けに特化した高画質・高音質を提供することを特徴とするデジタルテレビジョンフォーマットである。
【０００７】
またデジタルテレビジョン放送では、多チャンネル送出も一つの大きな特徴となっており、ＨＤ−ＳＤＩ規格デジタルテレビジョンフォーマットのＨＤ素材１チャンネル分の帯域で、ＳＤ−ＳＤＩ規格デジタルテレビジョンフォーマットのＳＤ素材３チャンネル分が送出できる。
【０００８】
さらにデジタル素材は、多チャンネル音声素材が多重・送出でき、ＨＤ素材では最大１６チャンネルも音声チャンネル音声素材を多重することができるので、多チャンネル音声素材が一般的になることにより、ノンリニアバンクシステムでは音声素材のチャンネル変換が必須の機能となる。
【０００９】
図３は、従来のノンリニアバンクシステムの一例を示す構成図である。複数の記録装置として図３ではＶＴＲ１０１−１、１０１−２を備え、これらを入力スイッチャー１０２に供給する。なお、図示のようにカラーバー等の信号を供給しても良い。
【００１０】
ＶＴＲ１０１−１、１０１−２に記録の放送素材は、ＨＤ−ＳＤＩ規格とＳＤ−ＳＤＩ規格の２種類のデジタルテレビジョンフォーマットが混在している場合に対応して、例えば、ＶＴＲ１０１−１には、ＨＤ−ＳＤＩ規格に基づくデジタルテレビジョンフォーマットで且つ音声素材が２チャンネルの信号からなる放送素材が記録されており、ＶＴＲ１０１−２には、ＳＤ−ＳＤＩ規格に基づくデジタルテレビジョンフォーマットで且つ音声素材が２チャンネルの信号からなる放送素材が記録されているとする。
【００１１】
ファイリング時には、ＶＴＲ１０１−１またはＶＴＲ１０１−２を再生し、ＶＴＲ１０１−１またはＶＴＲ１０１−２から再生した放送素材（ＨＤ−ＳＤＩ規格に基づくデジタルテレビジョンフォーマットの信号又はＳＤ−ＳＤＩ規格デジタルテレビジョンフォーマットの信号）をオーディオプロセッサー１０３に供給して、２チャンネルの音声素材の音声チャンネル数を、送出する音声チャンネル数に変換し、入力スイッチャー１０２を介して分配器１０４に供給する。
【００１２】
分配器１０４は、音声チャンネル数が変換された放送素材を、現用系と予備系の２系統に分配し、各々エンコーダー１０５−１，１０５−２に供給して、ファイリングするビデオサーバーの記録フォーマット、例えばＭＰＥＧ方式に変換してから、ビデオサーバー１０６に供給する。
【００１３】
ビデオサーバー１０６は、現用系ファイリング部１０６Ａと予備系ファイリング部１０６Ｂからなる。
【００１４】
現用系ファイリング部１０６Ａは、インプットモジュール１０６Ａ−１とファイリング装置例えばＨＤＤ１０６Ａ−２と現用系送出用デコーダー１０６Ａ−３と現用系プレビュー用デコーダー１０６Ａ−４，１０６Ａ−５を備える。
【００１５】
予備系ファイリング部１０６Ｂは、インプットモジュール１０６Ｂ−１とファイリング装置例えばＨＤＤ１０６Ｂ−２と予備系送出用デコーダー１０６Ｂ−３と予備系プレビュー用デコーダー１０６Ｂ−４，１０６Ｂ−５を備える。
【００１６】
ビデオサーバー１０６の記録フォーマット、例えばＭＰＥＧ方式に変換した２系統の放送素材を、ビデオサーバー１０６の現用系ファイリング部１０６Ａのインプットモジュール１０６Ａ−１と、ビデオサーバー１０６の予備系ファイリング部１０６Ｂ−１のインプットモジュール１０６Ｂ−１に各々供給することで、現用系ファイリング部１０６ＡのＨＤＤ１０６Ａ−２と予備系ファイリング部１０６ＢのＨＤＤ１０６Ａ−２に各々ファイリングする。
【００１７】
このとき、ＶＴＲ１０１−１，１０１−２の再生コマンド、オーディオプロセッサー１０３で変換する音声チャンネル数、ビデオサーバー１０６のフィリングスタートコマンドは、ファイリングコントローラー１０７から与えられる。
【００１８】
ファイリングコントローラー１０７は、放送局上位システムＥＤＰＳ（Electronic Data Processing System）から送られるファイリング指示データに基づき、再生コマンドをＶＴＲ１０１−１又は１０１−２に送り、音声チャンネル数をオーディオプロセッサー１０３に送り、またフィリングスタートコマンドをビデオサーバー１０６に送る。
【００１９】
オンエアー時には、送出コントローラー１０８からビデオサーバー１０６にキューコマンドを指令することにより、ＨＤＤ１０６Ａ−２，ＨＤＤ１０６Ｂ−２の各々にファイリングしている放送素材を、現用系送出用デコーダー１０６Ａ−３，予備系送出用デコーダー１０６Ｂ−３の各々に供給し、変換前の元の方式に戻した現用系の放送素材と予備系の放送素材を、システムチェンジャー１０９に供給する。
【００２０】
システムチェンジャー１０９は、現用系の伝送路に異常がないときは、図示のように、本線を現用系側に切替え、現用系の放送素材を本線にオンエアーするが、現用系の伝送路に障害が発生したときは、送出コントローラー１０８からのコマンドにより本線を予備系側に切換えることにより、放送素材のオンエアーに支障が生じないようにする。
【００２１】
また、ファイリング時の放送素材や音声チェンネル数等の確認のため、ファイリング時にビデオサーバー１０６の現用系ファイリング部１０６Ａのインプットモジュール１０６Ａ−１と、ビデオサーバー１０６の予備系ファイリング部１０６Ｂのインプットモジュール１０６Ｂ−１とに各々供給した２系統の放送素材を、系統毎に各々現用系プレビュー用のデコーダー１０６Ａ−４，１０６Ａ−５と、予備系プレビュー用のデコーダー１０６Ｂ−４，１０６Ｂ−５とに供給する。
【００２２】
現用系プレビュー用デコーダー１０６Ａ−４，１０６Ａ−５と、予備系プレビュー用デコーダー１０６Ｂ−４，１０６Ｂ−５で、変換前の元の方式に戻した現用系の放送素材と予備系の放送素材を、出力スイッチャー１１０に供給し、出力スイッチャー１１０の現用系出力の現用系放送素材を、現用系カラーモニタ１１１−１と現用系オーディオモニタ１１２−１に供給し、出力スイッチャー１１０の予備系出力の予備系放送素素材を、予備系カラーモニタ１１１−２と予備系オーディオモニタ１１２−２に供給する。
【００２３】
また、ファイリングコントローラー１０７からの放送局上位システムＥＤＰＳから送られてくるファイリング指示データを、表示部例えばパソコン１１３に供給する。
【００２４】
このことにより、プレビュー時に、送出する放送素材の映像を、現用系カラーモニタ１１１−１，予備系カラーモニタ１１１−２で目視し、送出する放送素材の音声チャンネル数等を、現用系オーディオモニタ１１２−１，予備系オーディオモニタ１１２−２で目視し、放送局上位システムＥＤＰＳ（Electronic Data Processing System）から送られるファイリング指示データを、パソコン１１３で目視することができる。
【００２５】
【特許文献１】特開２００５−２１０４９０号公報
【発明の開示】
【発明が解決しようとする課題】
【００２６】
プレビュー時に、送出する放送素材の音声チャンネル数が、放送局上位システムＥＤＰＳ（Electronic Data Processing System）から送られるファイリング指示データで指示された音声チャンネル数と同じであるかを確認する必要がある。
【００２７】
しかしながら、上記現用系オーディオモニタ１１２−１と上記予備系オーディオモニタ１１２−２での音声表示は、ともに、音声８チャンネル分の各チャンネル用の長方形枠を横方向に配置し、音声がある場合に、その音声レベルに応じて、長方形枠の中で下から上に向かったメータ表示である。
【００２８】
そのため、オペレータが、現用系のチャンネル数を確認するには、現用系オーディオモニタ１１２−１における各チャンネル用の長方形枠の中に、メータ表示のある数がいくつあるかを目視し、且つパソコン１１３に表示されたファイリング指示データで指示された音声チャンネル数を目視して、オペレータ自身が同じか否かを判断しなければならない。
【００２９】
また、オペレータが、予備系のチャンネル数を確認するには、予備系オーディオモニタ１１２−２における各チャンネル用の長方形枠の中に、メータ表示のある数がいくつあるかを目視し、且つパソコン１１３に表示されたファイリング指示データで指示された音声チャンネル数を目視して、オペレータ自身が同じか否かを判断しなければならない
また、ビデオサーバーにファイリングする放送素材が多くなればなるほど、オペレータ自身による作業がさらに増大する。
【００３０】
したがって、音声チャンネル数を確認するためには、オペレータによる多くの目視や判断作業が必要であり、且つそのために確認した結果が誤る可能性もある。
【００３１】
本発明の目的は、プレビュー時に、送出する放送素材の音声チャンネル数を簡単に確認することが可能なノンリニアバンクシステムを提供することにある。
【課題を解決するための手段】
【００３２】
第１の本発明は、放送素材の音声チャンネル数を、放送局上位システムＥＤＰＳから送られるファイリング指示データ内の音声チャンネル数に基づき変換してから、現用系と予備系に分配し、ビデオサーバーに前記現用系と予備系別々にファイリングし、ファイリングしている前記現用系と予備系の前記放送素材を読み出し、前記現用系の放送素材をオンエアーするノンリニアバンクシステムにおいて、前記ビデオサーバーにファイリングする前記現用系と予備系の各々に監視装置を設けて、前記変換した音声チャンネル数を検出し、該検出した前記音声チャンネル数が前記放送局上位システムＥＤＰＳから送られるファイリング指示データ内の音声チャンネル数と一致しているか否かを、コントローラーで判定し、その結果を表示部で表示することを特徴とする。
【００３３】
また第２の本発明は、上記第１のノンリニアバンクシステムにおいて、前記現用系と予備系の各々に設ける前記監視装置が、一つの基板上に２系統分実装されていることを特徴とする。
【００３４】
また第３の本発明は、上記第１のノンリニアバンクシステムにおいて、ファイリングしている前記放送素材を読み出した後の前記現用系と予備系の各々に第２の監視装置を設けて、オンエアーしている放送素材であるデジタル映像音声信号のＳＤＩフォーマットをリアルタイムで検出することを特徴とする。
【発明の効果】
【００３５】
本発明によれば、プレビュー時に、送出する放送素材の音声チャンネル数を簡単に確認することが可能なノンリニアバンクシステムを得ることができるという効果を奏する。
【発明を実施するための最良の形態】
【００３６】
本発明によるノンリニアバンクシステムについて、実施の形態を説明する。
【００３７】
図１は、本発明によるノンリニアバンクシステムの実施の形態を示す構成図である。図１において、図３と同一個所には同一符号を付けた。
【００３８】
図１は、さらに、プレビュー時の監視のため、分配器１０４の現用系と予備系の各々の出力と、エンコーダー１０５−１，１０５−２との間に、各々現用系監視装置１１４−１，予備系監視装置１１４−２を接続している。
【００３９】
また、プレビュー時の監視のため、出力スイッチャー１１０の現用系出力と、現用系カラーモニタ１１１−１および現用系オーディオモニタ１１２−１との間、および出力スイッチャー１１０の予備系出力と、予備系カラーモニタ１１１−２および予備系オーディオモニタ１１２−２との間に、各々現用系監視装置１１５−１，予備系監視装置１１５−２を接続している。
【００４０】
また、オンエアー時の監視のため、ビデオサーバー１０６の現用系ファイリング部１０６Ａの現用系送出用デコーダー１０６Ａ−３と、システムチェンジャー１０９の本線側入力端子との間、およびビデオサーバー１０６の予備系ファイリング部１０６Ｂの予備系送出用デコーダー１０６Ｂ−３と、システムチェンジャー１０９の予備線入力端子との間に、各々現用系監視装置１１６−１，予備系監視装置１１６−２を接続している。
【００４１】
図２は、プレビュー時の現用系監視装置１１４−１，予備系監視装置１１４−２の内部回路である。現用系監視装置１１４−１，予備系監視装置１１４−２は、一つの基板上に実装されている。
【００４２】
現用系監視装置１１４−１は、シリアル／パラレル変換回路１１４−１ａ、判定回路１１４−１ｂ、パラレル／シリアル変換回路１１４−１ｃで構成され、予備系監視装置１１４−２は、シリアル／パラレル変換回路１１４−２ａ、判定回路１１４−２ｂ、パラレル／シリアル変換回路１１４−２ｃで構成される。
【００４３】
図１の分配器１０４で分配した現用系と予備系の放送素材（ＨＤ−ＳＤＩ規格に基づくデジタルテレビジョンフォーマットの信号又はＳＤ−ＳＤＩ規格デジタルテレビジョンフォーマットの信号）を、図２における現用系監視装置１１４−１のシリアル／パラレル変換回路１１４−１ａと予備系監視装置１１４−２のシリアル／パラレル変換回路１１４−２ａに、各々入力する。
【００４４】
現用系監視装置１１４−１のシリアル／パラレル変換回路１１４−１ａに入力した現用系の放送素材を、シリアル／パラレル変換回路１１４−１ａでパラレル出力にし、一出力をパラレル／シリアル変換回路１１４−１ｃに入力し、他入力を判定回路１１４−１ｂに入力し、判定回路１１４−１ｂの出力をパラレル／シリアル変換回路１１４−１ｃに入力して、現用系監視装置１１４−１に入力前の現用系の放送素材に戻す。
【００４５】
また、予備系監視装置１１４−２のシリアル／パラレル変換回路１１４−２ａに入力した予備系の放送素材を、シリアル／パラレル変換回路１１４−２ａでパラレル出力にし、一出力をパラレル／シリアル変換回路１１４−２ｃに入力し、他入力を判定回路１１４−２ｂに入力し、判定回路１１４−２ｂの出力をパラレル／シリアル変換回路１１４−２ｃに入力して、予備系監視装置１１４−２に入力前の予備系の放送素材に戻す。
【００４６】
現用系監視装置１１５−１，予備系監視装置１１５−２、および現用系監視装置１１６−１，予備系監視装置１１６−２も同じ回路で構成される。
【００４７】
現用系監視装置１１４−１内の判定回路１１４−１ｂと予備系監視装置１１４−２内の判定回路１１４−２ｂは、ＦＰＧＡ（Field Programable Gate Array）上でのＡＮＤ回路とＯＲ回路の組み合わせで、且つ現用系、予備系別々に、放送素材であるデジタル映像音声信号から、音声チャネル数の検出と、デジタル映像音声信号のＳＤＩフォーマットの検出を行うことができるようＡＮＤ回路とＯＲ回路の組み合わせで構成されている。
【００４８】
現用系監視装置１１５−１内の判定回路と予備系監視装置１１５−２内の判定回路は、現用系監視装置１１４−１内の判定回路１１４−１ｂと予備系監視装置１１４−２内の判定回路１１４−２ｂと同じ構成である。
【００４９】
また、現用系監視装置１１６−１内の判定回路と予備系監視装置１１６−２内の判定回路も、現用系監視装置１１４−１内の判定回路１１４−１ｂと予備系監視装置１１４−２内の判定回路１１４−２ｂと同じ構成である。
【００５０】
ただし、現用系監視装置１１４−１内の判定回路１１４−１ｂと予備系監視装置１１４−２内の判定回路１１４−２ｂ、および現用系監視装置１１５−１内の判定回路と予備系監視装置１１５−２内の判定回路は、音声チャネル数の検出のみを出力して、ファイリングコントローラー１０７に入力する。
【００５１】
それに対して、現用系監視装置１１６−１内の判定回路と予備系監視装置１１６−２内の判定回路は、デジタル映像音声信号のＳＤＩフォーマットの検出のみを出力して送出コントローラー１０８に入力する。
【００５２】
現用系監視装置１１４−１と予備系監視装置１１４−２で検出した音声チャネル数、および現用系監視装置１１５−１と予備系監視装置１１５−２で検出した音声チャネル数は、ファイリングコントローラー１０７において、ファイリングコントローラー１０７からの放送局上位システムＥＤＰＳから送られるファイリング指示データ内の音声チャンネル数と比較される。
【００５３】
ファイリングコントローラー１０７は、オーディオプロセッサー１０３で変換した音声チャンネル数が、ファイリング指示データ内の送出する音声チャンネル数と一致しているか否かを判定し、その結果をパソコン１１３に入力する。このことで、パソコン１１３の画面上に、ＯＫかＮＯかの表示をする。
【００５４】
それに対して、現用系監視装置１１６−１と予備系監視装置１１６−２は、オンエアーしている放送素材であるデジタル映像音声信号のＳＤＩフォーマットをリアルタイムで検出して、送出コントローラー１０８から上位システムＡＰＣ／ＡＰＳ（ＡＰＣ：Automatic Program Controller、ＡＰＳ：Automatic Program System）に送出する。このことで、上位システムＡＰＣ／ＡＰＳは、ＳＤＩフォーマットの良否を判定し、否であれば、送出コントローラー１０８に指示して、デジタル放送素材の送出を止めることができる。
【００５５】
本実施の形態によれば、プレビュー時に、送出する放送素材の音声チャンネル数を確認するためには、パソコン１１３の画面上の表示をみるだけで良いので、多くの目視や判断作業が不要であり、且つそのために確認を誤る可能性を著しく軽減することができる。
【００５６】
またそのための監視装置が、一つの基板上に、現用系と予備系の２系統分実装されているので、ノンリニアバンクシステムへの監視装置の取り付けが簡単に対応できる。
【００５７】
さらに、オンエアーしている放送素材であるデジタル映像音声信号のＳＤＩフォーマットをリアルタイムで検出して出力することで、運用状況を逐一把握することが可能である。
【図面の簡単な説明】
【００５８】
【図１】本発明によるノンリニアバンクシステムの実施の形態を示す構成図である。
【図２】図１における現用系監視装置，予備系監視装置の内部回路である。
【図３】従来のノンリニアバンクシステムの一例を示す構成図である。
【符号の説明】
【００５９】
１０１−１，１０１−２：ＶＴＲ、１０２：入力スイッチャー、１０３：オーディオプロセッサー、１０４：分配器、１０５−１，１０５−２：エンコーダー、１０６：ビデオサーバー、１０６Ａ：現用系ファイリング部、１０６Ａ−１：インプットモジュール、１０６Ａ−２：ＨＤＤ、１０６Ａ−３：現用系送出用デコーダー、１０６Ａ−４，１０６Ａ−５：現用系プレビュー用デコーダー、１０６Ｂ：予備系ファイリング部、１０６Ｂ−１：インプットモジュール、１０６Ｂ−２：ＨＤＤ、１０６Ｂ−３：予備系送出用のデコーダー、１０６Ｂ−４，１０６Ｂ−５：予備系プレビュー用デコーダー、１０７：ファイリングコントローラー、１０８：送出コントローラー、１０９：システムチェンジャー、１１０：出力スイッチャー、１１１−１：現用系カラーモニタ、１１１−２：予備系カラーモニタ、１１２−１：現用系オーディオモニタ、１１２−２：予備系オーディオモニタ、１１３：パソコン、１１４−１：現用系監視装置、１１４−１ａ：シリアル／パラレル変換回路、１４−１ｂ：判定回路、１１４−１ｃ：パラレル／シリアル変換回路、１１４−２：予備系監視装置、１１４−２ａ：シリアル／パラレル変換回路、１１４−２ｂ：判定回路、１１４−２ｃ：パラレル／シリアル変換回路。
【図１】
0004734125.tif 000002
【図２】
0004734125.tif 000003
【図３】
0004734125.tif 000004